(57)【要約】【課題】新たな偽券情報が得られた場合や特定の旧券を排除する必要が生じた場合に即座に且つ容易に対象紙幣を排除可能となる紙幣処理装置の提供。【解決手段】紙幣の両面の画像を取り込む画像取込手段４５Ａ，４５Ｂと、画像から紙幣に印刷された記番号情報を読み取る読取手段６２と、排除対象となる紙幣の記番号情報を記憶する記憶手段５８と、読取手段６２で読み取った記番号情報と記憶手段５８に記憶された記番号情報とを比較する比較手段６０と、比較手段６０の比較結果から読取手段６２で読み取った記番号情報が記憶手段５８に記憶された記番号情報と一致する紙幣を選別して排除する排除手段６１と、を備えている。【選択図】図２
2013164679.tif 000002
【特許請求の範囲】
【請求項１】
紙幣の両面の画像を取り込む画像取込手段と、
前記画像から紙幣に印刷された記番号情報を読み取る読取手段と、
排除対象となる紙幣の記番号情報を記憶する記憶手段と、
前記読取手段で読み取った記番号情報と前記記憶手段に記憶された記番号情報とを比較する比較手段と、
該比較手段の比較結果から前記読取手段で読み取った記番号情報が前記記憶手段に記憶された記番号情報と一致する紙幣を選別して排除する排除手段と、
を備えたことを特徴とする紙幣処理装置。
【請求項２】
前記記番号情報は、紙幣の記番号の数字の通し番号を特定する情報であることを特徴とする請求項１に記載の紙幣処理装置。
【請求項３】
前記記番号情報は、紙幣の記番号の頭記号のアルファベットを特定する情報であることを特徴とする請求項１または２に記載の紙幣処理装置。
【請求項４】
前記記番号情報は、記番号の色であることを特徴とする請求項１乃至３の何れか一項に記載の紙幣処理装置。
【発明の詳細な説明】
【技術分野】
【０００１】
本発明は、紙幣処理装置に関する。
【背景技術】
【０００２】
被処理媒体を後段の処理が可能なものとリジェクトするものとに振り分けるゲートにより、正券と判定されなかった損券や偽券などをリジェクト箱に搬送する紙葉類処理装置が知られている（例えば、特許文献１参照）。
【先行技術文献】
【特許文献】
【０００３】
【特許文献１】特開２００８−１６５３９６号公報
【発明の概要】
【発明が解決しようとする課題】
【０００４】
しかしながら、上記の紙葉類処理装置は、新たな偽券情報が得られた場合に即座に且つ容易には対応できず、また、特定の旧券情報に基づいて当該紙幣を特定し選別して排除する必要が生じた場合にも即座に且つ容易に対応することができないという課題が存在する。
【０００５】
したがって、本発明は、新たな偽券情報が得られた場合や特定の旧券を排除する必要が生じた場合に即座に且つ容易に対象紙幣を排除可能となる紙幣処理装置の提供を目的とする。
【課題を解決するための手段】
【０００６】
上記目的を達成するために、請求項１に係る発明は、紙幣の両面の画像を取り込む画像取込手段と、前記画像から紙幣に印刷された記番号情報を読み取る読取手段と、排除対象となる紙幣の記番号情報を記憶する記憶手段と、前記読取手段で読み取った記番号情報と前記記憶手段に記憶された記番号情報とを比較する比較手段と、該比較手段の比較結果から前記読取手段で読み取った記番号情報が前記記憶手段に記憶された記番号情報と一致する紙幣を選別して排除する排除手段と、を備えたことを特徴とする。
【０００７】
請求項２に係る発明は、請求項１に係る発明において、前記記番号情報は、紙幣の記番号の数字の通し番号を特定する情報であることを特徴とする。
【０００８】
請求項３に係る発明は、請求項１または２に係る発明において、前記記番号情報は、紙幣の記番号の頭記号のアルファベットを特定する情報であることを特徴とする。
【０００９】
請求項４に係る発明は、請求項１乃至３の何れか一項に係る発明において、前記記番号情報は、記番号の色であることを特徴とする。
【発明の効果】
【００１０】
請求項１に係る発明によれば、画像取込手段で紙幣の両面の画像を取り込むと、読取手段が紙幣から印刷された記番号情報を読み取って、比較手段が読取手段で読み取った記番号情報と記憶手段に記憶された記番号情報とを比較し、この比較結果から、排除手段が読取手段で読み取った記番号情報が記憶手段に記憶された記番号情報と一致する紙幣を選別して排除する。よって、排除対象となる紙幣の記番号情報を記憶手段に記憶させれば、新たな偽券情報が得られた場合や特定の旧券を排除する必要が生じた場合に即座に且つ容易に対象紙幣を排除可能となる。
【００１１】
請求項２に係る発明によれば、記番号情報が、紙幣の記番号の数字の通し番号を特定するものであるため、記番号の通し番号のみに特化して、偽券を特定識別して排除するようにできる。
【００１２】
請求項３に係る発明によれば、記番号情報が、紙幣の記番号の頭記号のアルファベットを特定する情報であるため、紙幣の製造時期が古いか新しいかの目安となり、製造時期が古い旧券を新券と交換する目的で回収のため選別排除することができる。
【００１３】
請求項４に係る発明によれば、記番号情報が、記番号の色であるため、紙幣の製造時期が古いか新しいかの目安となり、製造時期が古い旧券を新券との交換する目的で回収のため選別排除することができる。
【図面の簡単な説明】
【００１４】
【図１】本発明の一実施形態に係る紙幣処理装置を概略的に示す側断面図である。
【図２】本発明の一実施形態に係る紙幣処理装置の制御系のブロック図である。
【図３】本発明の一実施形態に係る紙幣処理装置の画像取込部等を示す側面図である。
【図４】紙幣の一例を示す平面図である。
【図５】同紙幣処理装置の側断面図であって、入金処理ルートを太線で示すものである。
【図６】同紙幣処理装置の側断面図であって、収納処理ルートを太線で示すものである。
【図７】同紙幣処理装置の側断面図であって、返却処理ルートを太線で示すものである。
【図８】同紙幣処理装置の側断面図であって、バラ出金処理ルートを太線で示すものである。
【図９】同紙幣処理装置の側断面図であって、束出金処理ルートを太線で示すものである。
【図１０】同紙幣処理装置の側断面図であって、自己精査処理の往路ルートを太線で示すものである。
【図１１】同紙幣処理装置の側断面図であって、自己精査処理の復路ルートを太線で示すものである。
【図１２】同紙幣処理装置の側断面図であって、ローカル整理処理の往路ルートを太線で示すものである。
【図１３】同紙幣処理装置の側断面図であって、ローカル整理処理の復路ルートを太線で示すものである。
【発明を実施するための形態】
【００１５】
本発明の一実施形態に係る紙幣処理装置を図面を参照して以下に説明する。以下の説明における前後左右は、操作者側を前、操作者とは反対側を後、操作者から見て左右を左右とする。
【００１６】
紙幣処理装置１１は、その前面側の上部に、機外からバラ紙幣が投入されるとともに機内から出金用のバラ紙幣が繰り出される入出金部２１が設けられている。入出金部２１は、その底部を構成する載置板２２が後下がりに傾斜した姿勢で昇降可能に設けられており、その奥側の支承面２３が載置板２２と直交するように後上がりに傾斜して設けられている。入出金部２１には、紙幣が長さ方向を左右方向に沿わせた姿勢で載置板２２上に集積されることになり、紙幣は載置板２２の傾斜により後端縁が支承面２３に当接する。入出金部２１の上部の後側には、載置板２２上に集積されたバラ紙幣を上端のものから一枚ずつ分離して所定の間隔をあけて機内へ繰り出すとともに機内からの紙幣を入出金部２１に繰り出す繰出部２１ａが設けられている。なお、紙幣処理装置１１内では、紙幣が、長さ方向を左右方向に沿わせた姿勢で搬送されることになる。
【００１７】
入出金部２１の下側には、紙幣処理装置１１の前面位置に、受け入れ不可と判定されたリジェクト紙幣が機内から繰り出されるリジェクト口（排除手段）２６が設けられている。入出金部２１およびリジェクト口２６の後側には、出金不可等と判定されたリジェクト紙幣を収納するリジェクトボックス（排除手段）２７が設けられており、リジェクトボックス２７の後方の下部には紙幣を識別する識別部２８が設けられている。
【００１８】
また、リジェクトボックス２７の後方の上部には紙幣を整列させながら水平姿勢で鉛直方向に所定の結束枚数集積させる整列部３０が設けられており、この整列部３０の後方には、整列部３０から水平状態のまま後方に送り出された集積紙幣を載置させて鉛直上方に上昇搬送する移送部３３が設けられている。
【００１９】
整列部３０の上方には、移送部３３で上昇搬送され上部位置から水平状態のまま前方に送り出された集積紙幣を結束テープで結束して小束紙幣とする結束部３１が設けられている。この結束部３１は、移送部３３から前方に送り出された集積紙幣を上下から挟持してＶ字状に屈曲させる挟持部材３１ａ，３１ｂを有しており、挟持部材３１ａ，３１ｂで集積紙幣を挟持しつつ、結束テープを周囲に巻き回して接着・切断した後、挟持部材３１ａ，３１ｂを結束テープから引き抜くことで小束紙幣を作成する。
【００２０】
結束部３１の前方には、結束部３１で上記のように結束された後、水平状態のまま前方に送り出された小束紙幣を鉛直状に姿勢変更し水平方向に複数束集積して、機外に取り出し可能とする束出金部３２が設けられている。
【００２１】
また、紙幣処理装置１１の下部には、奥側から順に、入金確定後の所定の単一金種のバラ紙幣を上下に集積させた状態で収納する金種カセット３５、同様の金種カセット３６、同様の金種カセット３７、入金確定後のバラ紙幣を上下に集積させた状態で収納する混合カセット３８、および入金された入金確定前のバラ紙幣を上下に集積させた状態で一時貯留するプールカセット３９が上下左右の位置を合わせて水平直線状のカセット配列方向に配列されている。このカセット配列方向は、紙幣処理装置１１の前後方向に沿っている。
【００２２】
金種カセット３５の上部には、その内部に紙幣を繰り出すとともに内部の紙幣を上端のものから一枚ずつ分離して繰り出す繰出部３５ａが設けられており、金種カセット３６の上部にも同様の繰出部３６ａが、金種カセット３７の上部にも同様の繰出部３７ａが、混合カセット３８の上部にも同様の繰出部３８ａが、プールカセット３９の上部にも同様の繰出部３９ａが、それぞれ設けられている。
【００２３】
紙幣処理装置１１の内部には、紙幣を搬送する紙幣搬送路４１が各部を適宜繋ぐように設けられている。紙幣搬送路４１は、繰出部２１ａから後上がりに延出した後、後下がりに延出し、さらに鉛直下方に延出し、その後、前側に一端延出した後、下側にて後側に折り返し、後方に延出し、途中上側に凸状に屈曲して識別部２８を通って下方に若干延出する搬送路４１Ａと、搬送路４１Ａに連続して下側に若干延出した後に前方に延出し前端から下方に若干延出する搬送路４１Ｂと、搬送路４１Ｂに連続するようにプールカセット３９に設けられた搬送路４１Ｃとを有している。
【００２４】
また、紙幣搬送路４１は、搬送路４１Ｂの途中から分岐する搬送路４１Ｄと、搬送路４１Ｄに連続するように金種カセット３５に設けられた搬送路４１Ｅと、搬送路４１Ｂの搬送路４１Ｄよりもプールカセット３９側から分岐する搬送路４１Ｆと、搬送路４１Ｆに連続するように金種カセット３６に設けられた搬送路４１Ｇと、搬送路４１Ｂの搬送路４１Ｆよりもプールカセット３９側から分岐する搬送路４１Ｈと、搬送路４１Ｈに連続するように金種カセット３７に設けられた搬送路４１Ｉと、搬送路４１Ｂの搬送路４１Ｈよりもプールカセット３９側から分岐する搬送路４１Ｊと、搬送路４１Ｊに連続するように混合カセット３８に設けられた搬送路４１Ｋと、搬送路４１Ｂの搬送路４１Ｊよりもプールカセット３９側から分岐して上方に延出する搬送路４１Ｌと、搬送路４１Ｌに繋がって屈曲し後方に延出して搬送路４１Ａの入出金部２１と識別部２８との間に繋がる搬送路４１Ｍとを有している。
【００２５】
また、紙幣搬送路４１は、搬送路４１Ｂの搬送路４１Ｊの分岐位置と搬送路４１Ｌの分岐位置との間位置から分岐して上方に延出する搬送路４１Ｎと、搬送路４１Ｎに繋がって上方に延出し搬送路４１Ｍの途中位置に繋がる搬送路４１Ｏと、搬送路４１Ｍにおける搬送路４１Ｏの接続位置と搬送路４１Ａへの接続位置との間位置から分岐してリジェクト口２６に繋がる搬送路４１Ｐと、搬送路４１Ａにおける搬送路４１Ｍの接続位置と入出金部２１との間位置から分岐し前方に延出して搬送路４１Ｐの途中位置に繋がる搬送路４１Ｑと、搬送路４１Ｐにおける搬送路４１Ｑの接続位置とリジェクト口２６との間位置から上方に分岐し後上がりに延出してリジェクトボックス２７に繋がる搬送路４１Ｒとを有している。
【００２６】
また、紙幣搬送路４１は、搬送路４１Ａにおける入出金部２１と搬送路４１Ｑの分岐位置との間位置と、搬送路４１Ｍの接続位置と識別部２８との間位置とを繋ぐ搬送路４１Ｓと、搬送路４１Ａにおける搬送路４１Ｓの接続位置と入出金部２１との間位置から後方に分岐して整列部３０に繋がる搬送路４１Ｔとを有している。搬送路４１Ｓには、紙幣の表裏を反転させる表裏反転部４３が設けられている。
【００２７】
ここで、上記した搬送路４１Ａ〜４１Ｍは正逆両方向に紙幣を搬送可能となっており、搬送路４１Ｎ〜４１Ｔは一方向にのみ紙幣を搬送可能となっている。
【００２８】
識別部２８内には、紙幣の両面の画像を取り込む図３の模式図に示す画像取込部（画像取込手段）４５が設けられている。この画像取込部４５は、搬送路４１Ａ上を移動する紙幣Ｓの下面の画像をスキャンする下面画像識別部４５Ａと、搬送路４１Ａ上を移動する紙幣Ｓの上面の画像をスキャンする上面画像識別部４５Ｂとからなっている。ここで、下面画像識別部４５Ａおよび上面画像識別部４５Ｂとしては例えばＣＣＤカメラやラインセンサ等が用いられる。画像取込部４５を構成する下面画像識別部４５Ａおよび上面画像識別部４５Ｂは、図２に示すように制御装置５０に接続されており、制御装置５０は、下面画像識別部４５Ａおよび上面画像識別部４５Ｂの画像データに基づいて、後述する入金処理およびローカル整理処理においては、機外から入出金部２１に投入された紙幣Ｓが受け入れ可能な紙幣Ｓであるか否かと、受け入れ可能な紙幣Ｓの金種とを識別し、受け入れ可能な紙幣Ｓを金種別に計数する。なお、下面画像識別部４５Ａおよび上面画像識別部４５Ｂの配置は、図３の模式図に囚われるものではなく、後述するように、紙幣Ｓの両面の画像を取り込んで、いずれかの面に印刷されている記番号情報を確実に読み取ることができるものであれば、どのような配置構成を採用しても良い。
【００２９】
ここで、紙幣搬送路４１には、各分岐位置に、制御装置５０に駆動されて紙幣を振り分ける図２に示すゲート部（排除手段）５２が設けられている。
【００３０】
上記した制御装置５０には、繰出部２１ａ，３５ａ〜３９ａと、識別部２８と、整列部３０と、結束部３１と、束出金部３２と、移送部３３と、ゲート部（排除手段）５２を含む紙幣搬送路４１と等の、紙幣処理装置１１の各部が接続されており、さらに、操作者により設定入力等が入力される操作部５６と、操作者に向けて表示を行う表示部５７と、基準データ等を記憶する記憶部（記憶手段）５８とが接続されている。
【００３１】
記憶部５８には、下面画像識別部４５Ａおよび上面画像識別部４５Ｂで検出された紙幣Ｓの画像データと比較するための基準の金種別のマスタデータが記憶されている。
【００３２】
制御装置５０は、比較制御部（比較手段）６０と、振分制御部（排除手段）６１とを有している。比較制御部６０は、例えば後述する入金処理およびローカル整理処理においては、画像取込部４５の下面画像識別部４５Ａおよび上面画像識別部４５Ｂで検出された紙幣Ｓの画像データを、各金種別のマスタデータと比較することで、いずれか一の金種のマスタデータと所定の一致度以上で一致する紙幣Ｓは、受け入れ可能な紙幣Ｓであってこの金種の紙幣であると判定して計数する。他方、比較制御部６０は、いずれの金種のマスタデータとも所定の一致度以上で一致しない紙幣Ｓは、受け入れ不可な紙幣Ｓであると判定し計数も行わない。尚、比較制御部６０での比較についてより具体的に説明すると、画像取込部４５の下面画像識別部４５Ａおよび上面画像識別部４５Ｂで検出された紙幣Ｓの画像データならびに各金種別のマスタデータは、紙幣Ｓ両面の模様や色彩や色の濃淡に係るデータ等であって、比較制御部６０はこれらを比較することになる。
【００３３】
そして、本実施形態において、制御装置５０は、操作部５６に入力された排除対象となる紙幣Ｓの記番号情報つまり排除記番号情報を記憶部５８に記憶させるようになっている。つまり、制御装置５０は、表示部５７を用いて入力案内がされる設定入力モードにおいて、操作部５６を介して排除記番号情報の入力を可能とし、操作部５６を介して排除記番号情報が入力されると、これを記憶部５８に記憶させるようになっている。ここで、排除記番号情報としては、図４に示す紙幣Ｓの記番号Ｄの番号そのものを特定する情報である数字およびアルファベットの全文字列（例えば、「ＡＢ１２３４５６Ａ」等）の入力は勿論、紙幣Ｓの記番号Ｄの数字の通し番号を特定する情報である数字列（例えば、「１２３４５６」等）の入力も可能であり、紙幣Ｓの記番号Ｄの頭記号のアルファベットを特定する情報であるアルファベットの文字あるいは文字列（例えば、「ＡＢ」等）の入力も可能であって、紙幣Ｓの記番号Ｄの色（例えば「黒」）の選択入力も可能となっている。
【００３４】
制御装置５０は、紙幣Ｓの記番号Ｄである数字およびアルファベットの全文字列が入力されると、入力された文字列を排除記番号情報として記憶部５８に記憶させることになり、紙幣Ｓの記番号Ｄの数字の通し番号の数字列が入力されると、入力された数字列を排除記番号情報として記憶部５８に記憶させることになり、紙幣Ｓの記番号Ｄの頭記号のアルファベットが入力されると、入力されたアルファベットを排除記番号情報として記憶部５８に記憶させることになり、紙幣Ｓの記番号Ｄの色が選択入力されると、記番号Ｄの色を排除記番号情報として記憶部５８に記憶させることになる。勿論、これらを合わせて記憶させることも可能である。
【００３５】
制御装置５０には、ＯＣＲ部（読取手段）６２が設けられている。ＯＣＲ部６２は、光学式文字読取装置であり、下面画像識別部４５Ａおよび上面画像識別部４５Ｂで検出された紙幣Ｓの画像データから文字情報を読み取り、その中から紙幣Ｓに印刷された図４に示す記番号Ｄを抽出する。なお、記番号Ｄは紙幣Ｓの片面にしか印刷されていないため、下面画像識別部４５Ａおよび上面画像識別部４５Ｂによる上下両面の画像検出が必要となる。
【００３６】
そして、制御装置５０は、比較制御部６０が、画像取込部４５で取り込んだ画像の中からＯＣＲ部６２で読み取った記番号Ｄに含まれる記番号情報（文字列、数字列、アルファベットあるいは色）と、記憶部５８に記憶された排除記番号情報とを比較することになり、振分制御部６１が、比較制御部６０の比較結果から、ＯＣＲ部６２で読み取った記番号Ｄに含まれる記番号情報と記憶部５８に記憶された排除記番号情報とが一致すると判定した紙幣Ｓを選別して排除する。その際に、後述する入金処理およびローカル整理処理においては、紙幣Ｓをリジェクト口２６に排除することになり、後述する収納処理、バラ出金処理、束出金処理および自己精査処理においては、紙幣Ｓをリジェクトボックス２７に排除することになる。
【００３７】
例えば、排除記番号情報として、紙幣Ｓの記番号Ｄの番号そのものを特定する「ＡＢ１２３４５６Ａ」の文字列が記憶部５８に記憶されている場合、制御装置５０は、画像取込部４５で取り込んだ画像のうちＯＣＲ部６２で読み取った記番号Ｄの文字列が、記憶部５８に記憶された排除記番号情報である「ＡＢ１２３４５６Ａ」の紙幣Ｓを選別して排除する。
【００３８】
また、排除記番号情報として、紙幣Ｓの記番号Ｄの数字の通し番号を特定する「１２３４５６」の数字列が記憶部５８に記憶されている場合、制御装置５０は、画像取込部４５で取り込んだ画像のうちＯＣＲ部６２で読み取った記番号Ｄに含まれる数字列が、記憶部５８に記憶された排除記番号情報である「１２３４５６」の紙幣Ｓを選別して排除する。
【００３９】
また、排除記番号情報として、紙幣Ｓの記番号Ｄの頭記号のアルファベットを特定する「ＡＢ」の文字列が記憶部５８に記憶されている場合、制御装置５０は、画像取込部４５で取り込んだ画像のうちＯＣＲ部６２で読み取った記番号Ｄに含まれる文字列が、記憶部５８に記憶された排除記番号情報である「ＡＢ」の紙幣Ｓを選別して排除する。
【００４０】
また、排除記番号情報として、紙幣Ｓの記番号Ｄの色を特定する「黒」が記憶部５８に記憶されている場合、制御装置５０は、画像取込部４５で取り込んだ画像のうちＯＣＲ部６２で読み取った記番号Ｄに含まれる文字列の色が、記憶部５８に記憶された排除記番号情報である「黒」の紙幣Ｓを選別して排除する。
【００４１】
さらには、紙幣Ｓの記番号Ｄの数字の通し番号と、記番号Ｄの頭記号のアルファベットと、記番号Ｄの色のいずれか二種以上を組み合わせて、排除記番号情報として記憶されている場合も、制御装置５０は、画像取込部４５で取り込んだ画像のうちＯＣＲ部６２で読み取った記番号Ｄに含まれる数字列、文字列、および文字列の色のいずれか二種以上の組み合わせが、記憶部５８に記憶された排除記番号情報であるいずれか二種以上の組み合わせと一致した紙幣Ｓを選別して排除する。
なお、記憶部５８に記憶されている排除記番号情報と一致する記番号情報を有する紙幣Ｓを検出すると、制御装置５０は、表示部５７にその旨を表示させて操作者に注意を促す。
【００４２】
図５の太線は、機外から入出金部２１に投入されたバラ紙幣を搬送しつつ識別計数する入金処理のルートを示している。つまり、入出金部２１の載置板２２上にバラ紙幣が載置されて、操作部５６に入金処理を行う旨の入力操作がなされると、繰出部２１ａが入出金部２１の載置板２２上の紙幣を上端のものから順に一枚ずつ分離して所定の間隔をあけて繰り出すことになり、繰り出した紙幣を、搬送路４１Ａで搬送することになる。搬送路４１Ａでの搬送中に識別部２８が紙幣を識別計数することになり、識別部２８で受け入れ可能と判定した紙幣（取り扱い可能な金種の紙幣）を、図５に太実線で示すように、搬送路４１Ｂ，４１Ｃでプールカセット３９に搬送する一方、識別部２８で受け入れ不可と判定した紙幣を、図５に太破線で示すように、搬送路４１Ｂから搬送路４１Ｎ，４１Ｏ，４１Ｍ，４１Ｐでリジェクト口２６に搬送する。これにより、受け入れ可能な紙幣をプールカセット３９に一時貯留し、受け入れ不可な紙幣をリジェクト口２６に放出する。なお、識別部２８で受け入れ不可と判定する紙幣には、画像取込部４５で取り込んだ画像の中からＯＣＲ部６２で読み取った記番号Ｄに含まれる記番号情報が、記憶部５８に記憶された排除記番号情報と一致する紙幣を含む。
【００４３】
図６の太線は、入金処理にてプールカセット３９に一時貯留した紙幣を、操作部５６への承認操作が入力されたことを条件に、確定して、金種カセット３５〜３７および混合カセット３８の対応するものに収納する収納処理のルートを示している。つまり、プールカセット３９の紙幣を上端のものから繰出部３９ａが繰り出すことになり、繰り出した紙幣を、図６に太実線で示すように、搬送路４１Ｃ，４１Ｂ，４１Ｌ，４１Ｍ，４１Ａで識別部２８に搬送し、識別部２８の識別結果に基づいて、搬送路４１Ｂ，４１Ｄ〜４１Ｋの対応するものによって金種カセット３５〜３７および混合カセット３８の対応するものに搬送する。これにより、金種カセット３５〜３７および混合カセット３８の対応するものに紙幣を収納する。なお、収納処理にて識別部２８で重送等の還流不可と識別した紙幣については、図６に太破線で示すように、搬送路４１Ｂ，４１Ｎ，４１Ｏ，４１Ｍ，４１Ｐ，４１Ｒによってリジェクトボックス２７に搬送し、リジェクトボックス２７に収納する。
【００４４】
図７の太線は、入金処理にてプールカセット３９に一時貯留した紙幣を、操作部５６へのキャンセル操作が入力されたことを条件に、入出金部２１に繰り出す返却処理のルートを示している。つまり、プールカセット３９の紙幣を上端のものから繰出部３９ａが繰り出すことになり、繰り出した紙幣を、搬送路４１Ｃ，４１Ｂ，４１Ａによって入出金部２１に搬送する。これにより、入出金部２１に紙幣を返却する。
【００４５】
図８の太線は、操作部５６へ入力されたバラ出金操作に基づいて、金種カセット３５、金種カセット３６および金種カセット３７の指定された金種のものから紙幣を出金するバラ紙幣出金処理のルートを示している。つまり、バラ出金処理では、図８に太実線で示すように、金種カセット３５〜３７の指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａで入出金部２１に、表裏反転が必要なものは搬送路４１Ｓを介して表裏反転部４３で表裏反転させた後、搬送路４１Ａで入出金部２１に、それぞれ搬送する。これにより、出金操作に基づくバラ紙幣を入出金部２１に繰り出す。なお、出金処理にて識別部２８で重送等の出金不可と識別した紙幣については、図８に太破線で示すように、搬送路４１Ａ，４１Ｑ，４１Ｐ，４１Ｒによってリジェクトボックス２７に搬送し、リジェクトボックス２７に収納する。なお、識別部２８で出金不可と判定する紙幣には、画像取込部４５で取り込んだ画像の中からＯＣＲ部６２で読み取った記番号Ｄに含まれる記番号情報が、記憶部５８に記憶された排除記番号情報と一致する紙幣を含む。
【００４６】
図９の太線は、操作部５６へ入力された束出金操作に基づいて、金種カセット３５、金種カセット３６および金種カセット３７の指定された金種のものからの紙幣を結束して出金する束出金処理のルートを示している。つまり、束出金処理では、図９に太実線で示すように、金種カセット３５〜３７のうち指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。これにより、指定された単一金種の紙幣を結束単位枚数だけ整列部３０に繰り出す。そして、整列部３０の集積紙幣を、移送部３３で結束部３１に搬送し、結束部３１で結束を行い、束出金部３２に繰り出す。このような処理を指定された金種毎に指定された束数分行うことになる。なお、束出金処理にて識別部２８で重送等の出金不可と識別した紙幣については、図９に太破線で示すように、搬送路４１Ａ，４１Ｑ，４１Ｐ，４１Ｒによってリジェクトボックス２７に搬送し、リジェクトボックス２７に収納する。なお、識別部２８で出金不可と判定する紙幣には、画像取込部４５で取り込んだ画像の中からＯＣＲ部６２で読み取った記番号Ｄに含まれる記番号情報が、記憶部５８に記憶された排除記番号情報と一致する紙幣を含む。
【００４７】
図１０の太線は、操作部５６へ入力された自己精査処理操作に基づいて、金種カセット３５〜３７および混合カセット３８の対応するものの紙幣を自己精査する自己精査処理の往路ルートを示している。つまり、自己精査処理では、図１０に太実線で示すように、金種カセット３５〜３７および混合カセット３８のうちの設定された一つに収納されている紙幣を上端のものから繰出部３５ａ〜３８ａの対応するものが繰り出すことになり、繰り出した紙幣を、搬送路４１Ｄ〜４１Ｋの対応するものと、搬送路４１Ｂ，４１Ａとで識別部２８に搬送し、識別部２８で識別計数しつつ、搬送路４１Ｍ，４１Ｌ，４１Ｂ，４１Ｃを介してプールカセット３９に搬送する。そして、金種カセット３５〜３７および混合カセット３８のうちの設定された一つに収納されていた紙幣をすべて繰り出す。なお、この搬送中、識別部２８で重送等の還流不可と識別した紙幣については、図１０に太破線で示すように、搬送路４１Ａ，４１Ｑ，４１Ｐ，４１Ｒによってリジェクトボックス２７に搬送し、リジェクトボックス２７に収納する。なお、識別部２８で還流不可と判定する紙幣には、画像取込部４５で取り込んだ画像の中からＯＣＲ部６２で読み取った記番号Ｄに含まれる記番号情報が、記憶部５８に記憶された排除記番号情報と一致する紙幣を含む。
【００４８】
図１１の太線は、上記した自己精査処理の復路ルートを示している。上記したようにプールカセット３９に一旦移した紙幣を、図１１に太実線で示すように、搬送路４１Ｃ，４１Ｂ，４１Ｌ，４１Ｍ，４１Ａによって、識別部２８に搬送し、識別部２８で識別計数するとともに、識別部２８の識別結果に基づいて、搬送路４１Ｂ，４１Ｄ〜４１Ｋの対応するものを介して、金種カセット３５〜３７および混合カセット３８の対応する金種のものに収納する。なお、この搬送中、識別部２８で重送等の還流不可と識別した紙幣については、図１１に太破線で示すように、搬送路４１Ｂ，４１Ｎ，４１Ｏ，４１Ｍ，４１Ｐ，４１Ｒによってリジェクトボックス２７に搬送し、リジェクトボックス２７に収納する。
【００４９】
以上により、識別部２８の計数結果と、金種カセット３５〜３７および混合カセット３８の自己精査処理を行ったものに収納された紙幣の枚数とが一致することになり、このような自己精査処理を、金種カセット３５〜３７および混合カセット３８のうちの設定されたものについて、それぞれ個別に行うことになる。なお、金種カセット３５〜３７および混合カセット３８にそれぞれ収納された紙幣の合計枚数がプールカセット３９の最大収納枚数以下であった場合には、上記の自己精査処理をそれぞれ個別に行う必要はなく、すべて一括して行うこともできる。
【００５０】
図１２の太線は、機外から入出金部２１に投入されたバラ紙幣を搬送しつつ識別計数するローカル整理処理の往路ルートを示している。つまり、入出金部２１の載置板２２上にバラ紙幣が載置されて、操作部５６にローカル整理処理を行う旨の入力操作が金種指定とともになされると、繰出部２１ａが入出金部２１の載置板２２上の紙幣を上端のものから順に一枚ずつ分離して所定の間隔をあけて繰り出すことになり、繰り出した紙幣を、図１２に太実線で示すように、搬送路４１Ａで搬送することになる。搬送路４１Ａでの搬送中に識別部２８が紙幣を識別計数することになり、識別部２８で指定金種と判定した紙幣を、搬送路４１Ｂ，４１Ｃでプールカセット３９に搬送する一方、識別部２８で指定金種以外と判定した紙幣を、図１２に太破線で示すように、搬送路４１Ｂから搬送路４１Ｎ，４１Ｏ，４１Ｍ，４１Ｐでリジェクト口２６に搬送する。これにより、指定金種の紙幣をプールカセット３９に一時貯留し、指定金種以外の紙幣をリジェクト口２６に放出する。なお、識別部２８で指定金種以外と判定する紙幣には、画像取込部４５で取り込んだ画像の中からＯＣＲ部６２で読み取った記番号Ｄに含まれる記番号情報が、記憶部５８に記憶された排除記番号情報と一致する紙幣を含む。
【００５１】
図１３の太線は、ローカル整理処理の復路ルートを示している。上記したようにプールカセット３９に一旦収納した紙幣を、上端のものから繰出部３９ａが繰り出すことになり、繰り出した紙幣を、図１３の太線で示すように、搬送路４１Ｃ，４１Ｂ，４１Ａで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。このようにして、指定された単一金種の紙幣を結束単位枚数だけ整列部３０に繰り出す。そして、整列部３０の集積紙幣を、移送部３３で結束部３１に搬送し、結束部３１で結束を行い、束出金部３２に繰り出す。このような処理を結束単位枚数が整列部３０に集積される限り繰り返す。なお、結束単位枚数に満たない、端数紙幣が整列部３０に集積された場合にも、これを結束し端数紙幣であることを示す識別をつけて束出金部３２に繰り出す。なお、ローカル整理処理にて識別部２８で重送等の結束不可と識別した紙幣については、図１３に太破線で示すように、搬送路４１Ａ，４１Ｑ，４１Ｐによってリジェクト口２６に搬送し、リジェクト口２６に放出する。
【００５２】
以上に述べた本実施形態によれば、下面画像識別部４５Ａおよび上面画像識別部４５Ｂで紙幣Ｓの両面の画像を取り込むと、ＯＣＲ部６２が画像から紙幣Ｓに印刷された記番号Ｄを読み取って、比較制御部６０が、ＯＣＲ部６２で読み取った記番号Ｄに含まれる記番号情報と、記憶部５８に記憶された記番号情報とを比較し、この比較結果から、振分制御部６１がＯＣＲ部６２で読み取った記番号情報が記憶部５８に記憶された記番号情報と一致する紙幣Ｓを選別してリジェクト口２６あるいはリジェクトボックス２７に排除する。よって、排除対象となる紙幣Ｓの記番号情報を操作部５６を介した操作入力により記憶部５８に記憶させれば、新たな偽券情報が得られた場合や特定の旧券を排除する必要が生じた場合に即座に且つ容易に対象紙幣を排除可能となる。つまり、日本銀行券の偽券は、例えば「ＡＢ１２３４５６Ａ」というような固定の記番号で複数製造されているので、当該偽券を排除したい場合には、記憶部５８に当該偽券の記番号情報を登録しておけば、当該偽券を計数識別した際に排除することが可能になる。また、同様に、「Ａ１００００１Ａ」というような製造日が古い旧券の記番号情報を記憶部５８に登録しておけば、旧券も同様に排除することが可能になる。このように排除した旧券は市場で流通させないことを目的として回収される。
【００５３】
また、記番号情報が、紙幣Ｓの記番号Ｄの数字の通し番号を特定するものであるため、記番号の数字６桁の通し番号のみに特化して、偽券を特定識別して排除するようにできる。
【００５４】
また、記番号情報が、紙幣Ｓの記番号Ｄの頭記号のアルファベットを特定する情報であるため、紙幣の製造時期が古いか新しいかの目安となり、製造時期が古い旧券（例えばＡ〜Ｚのアルファベット１桁の紙幣やアルファベット２桁であってもＡＡ〜ＡＺのような紙幣）を新券と交換する目的で回収のため選別排除することができる。
【００５５】
また、記番号情報が、記番号Ｄの色であるため、紙幣の製造時期が古いか新しいかの目安となり、製造時期が古い旧券を新券との交換する目的で回収のため選別排除することができる。つまり、記番号は記番号の組み合わせを全て使い切ってしまった場合、印刷色を変えて再度同じ記番号が使われる仕組みとなっているので、記番号の色によっても紙幣の製造時期が古いか新しいかの目安が分かるので、製造時期が古い旧券（例えば記番号が黒の紙幣）を新券と交換する目的で回収のため選別排除することができる。
【００５６】
なお、紙幣処理装置１１としては、上記のように機内の紙幣を自己精査可能な入出金複合機以外にも、機外の紙幣を受け入れて選別した後に機外へ排出する整理機や、機外の紙幣を機内へ受け入れて収納する入金機や、機内の紙幣を機外へ放出する出金機等、全ての形態が対象となる。要は、整理計数時や入金時や出金時や自己精査時での識別の際に、特定の紙幣（偽券や旧券）を選別して排除できる構成であれば良い。さらに、本実施態様においては、紙幣Ｓを振り分けるゲート部５２と、これを制御する振分制御部６１と、一つのリジェクト口２６あるいは一つのリジェクトボックス２７とが組み合わされて一つの排除手段を構成しているが、前記したように、この排除手段においては、いずれの金種のマスタデータとも所定の一致度以上で一致しない紙幣Ｓを、受け入れ不可な紙幣Ｓであると判定し計数も行わずに、リジェクト口２６あるいはリジェクトボックス２７にゲート部５２を駆動して排除させるように振分制御部６１が制御を行っており、排除対象となる紙幣Ｓの記番号情報を操作部５６を介した操作入力により記憶部５８に記憶させて、同じ排除手段によって排除させるようにした場合に、受け入れ不可の紙幣Ｓであるのか、記番号情報に基づく排除対象の紙幣Ｓであるのか、不明となる恐れが起こりうる。しかし、リジェクト口あるいはリジェクトボックスを、さらにもう一つずつ設けることによって排除手段もさらにもう一組ずつ設けることで、一方の排除手段によって受け入れ不可の紙幣Ｓを排除し、他方の排除手段によって記番号情報に基づく排除対象の紙幣Ｓを排除するようにすれば、記番号情報に基づく排除対象の紙幣Ｓを確実に排除することができる。
【符号の説明】
【００５７】
１１  紙幣処理装置
２６  リジェクト口（排除手段）
２７  リジェクトボックス（排除手段）
４５  画像取込部（画像取込手段）
５２  ゲート部（排除手段）
５８  記憶部（記憶手段）
６０  比較制御部（比較手段）
６１  振分制御部（排除手段）
６２  ＯＣＲ部（読取手段）
Ｄ  記番号
Ｓ  紙幣
【図１】
2013164679.tif 000003
【図２】
2013164679.tif 000004
【図３】
2013164679.tif 000005
【図４】
2013164679.tif 000006
【図５】
2013164679.tif 000007
【図６】
2013164679.tif 000008
【図７】
2013164679.tif 000009
【図８】
2013164679.tif 000010
【図９】
2013164679.tif 000011
【図１０】
2013164679.tif 000012
【図１１】
2013164679.tif 000013
【図１２】
2013164679.tif 000014
【図１３】
2013164679.tif 000015